(57)【特許請求の範囲】
【請求項１】
複数台の電話機を接続した交換装置が通信回線で接続され、監視信号として帯域内周波信号を用いる交換装置の通信の終話方式において、
前記相互の交換装置にそれぞれ終話を予め知らせる予知信号を発生する予知信号発生器及び前記予知信号を検出する予知信号検出器を設け、
終話時、一方の側の交換装置に接続された電話機が終話動作すると、前記予知信号発生器より前記予知信号を一定時間送出した後、前記監視信号に切替えて信号送出し、
他方の側の前記交換装置では前記予知信号を前記予知信号検出器で検出すると受話パスを切離し、続いて、前記監視信号を一定時間検出すると終話とみなし通信を終了することを特徴とする通信の終話方式。
【請求項２】
前記交換装置の受話回路に前記予知信号をカットするフィルタを挿入したことを特徴とする請求項１に記載の通信の終話方式。
【発明の詳細な説明】
【０００１】
【産業上の利用分野】
本発明は監視信号として帯域内周波信号を用いる交換装置における通信の終話方式に関するものである。
【０００２】
【従来技術】
従来より専用回線を使用する通信回線では、制御信号及び選択信号として帯域内周波数の信号を使用した監視信号方式がよく用いられている。図４は帯域内周波数信号を使用する監視信号方式の基本構成例を示す図である。図示するように、複数台の電話機１が一方の側の交換装置２に接続され、該交換装置２と他方の側の交換装置３との間は前記一方の側からの発信信号を前記他方の側へ送信する専用回線５−１及び前記他方の側から発信された信号を前記一方の側へ送信する専用回線５−２の４線式回線で接続され、更に、前記他方の側の交換装置３には複数台の電話機４が接続されている。
【０００３】
交換装置２は制御器２−１、切替器２−２、監視信号発生器２−３、切替器２−４、切替器３−５、切替器３−６、監視信号検出器３−７、整合用トランス２−８、整合用トランス２−９を具備し、切替器２−２には複数台の電話機１が接続されている。
【０００４】
交換装置３は制御器３−１、切替器３−２、監視信号発生器３−３、切替器３−４、切替器３−５、切替器３−６、監視信号検出器３−７、整合用トランス３−８、整合用トランス３−９を具備し、切替器３−２には複数台の電話機４が接続されている。
【０００５】
常時無通話時には、監視信号発生器２−３は切替器２−４、切替器２−５を経由し、整合用トランス２−８を介して専用回線５−１へ監視信号を出力する。監視信号は相手側の交換装置３の整合用トランス３−９を介して監視信号検出器３−７で検出され制御器３−１で回線を常時監視制御している。同様に、専用回線５−２には交換装置３の監視信号発生器３−３から監視信号が送信され交換装置２の監視信号検出器２−７で検出され制御器２−１で回線を監視している。一般的に監視信号はＤＴＭＦ信号（押しボタンダイヤル信号）との区別及び伝送路の減衰歪みを考慮して２〜３ｋＨｚの周波数が使用される。
【０００６】
図５は図４に示す監視信号方式の各部の制御・信号を示す図である。複数台の電話機１は各々送受話器及びダイヤルを具備する（図では省略）。電話機１から発呼する場合、発呼起動（オフフック）すると交換装置２の制御器２−１は切替器２−４を制御し、監視信号ｂをストップする。被呼側の交換装置３の監視信号検出器３−７で検出され応答を確認した後、続いて電話機１からダイヤル信号ｄを発信すると制御器２−１は切替器２−４を制御し、ダイヤル信号ｄ（オン／オフ信号）に従って監視信号ｂを送出する。
【０００７】
被呼側の交換装置３では、監視信号検出器３−７が監視信号ｂを検出し制御器３−１へ検出信号を出力する。制御器３−１は検出信号を判断して切替器３−２を制御し所定の電話機４を接続し呼出し器（図では省略）を鳴動させ、オフフックによって通話が可能となる。
【０００８】
終話時、どちらか一方（図では発呼側）で終話動作をすると監視信号発生器２−３から監視信号が供給され、続いて他方（図では被呼側）が終話動作が行なわれ終話が完了する。
【０００９】
以上説明したように、帯域内周波数を使用した監視信号方式では監視信号ｂとして可聴周波数を使用するので、終話時、時間的に後から終話動作を行なった電話機（図では被呼側）では、話者は監視信号を受話器（図では省略）から聞くことになり（図５のｆ）異常音と判断する可能性があり、この対策が考えられている。
【００１０】
図６は従来の終話方式を実施するシステムの構成例を示す図である。この終話方式においては、交換装置３は終話時に制御器３−１が監視信号を検知すると切替器３−６を切替え、監視信号をカットするフィルタ３−２０を挿入し、更に一定時間連続して監視信号を検出すると終話と認め終話動作を行なう方式である。
【００１１】
また、図７は従来の終話方式を実施する交換装置の他の構成例を示す図である。この終話方式においては、交換装置３は監視信号検出器３−７の他に通話信号等の監視信号外の周波数成分を検出する監視信号外信号検出器３−２１を設け、常に周波数成分を監視し、監視信号周波数成分のみ検出された時だけ終話と認め終話動作を行なう方式である。
【００１２】
【発明が解決しようとする課題】
しかしながら、図６に示す構成の終話方式では監視信号と同周波数の成分が聞こえないので通話における周波数特性上の不自然さが生じるという問題がある。また、図７に示す構成の終話方式では監視信号と同周波数の単音が送信出来ないという端末使用上の制限が生じるという問題がある。また、従来の両終話方式ともに一瞬ではあるが監視信号が聞こえ、異常音と思われる可能性が残ると云う問題があった。
【００１３】
本発明は上述の点に鑑みてなされたもので、帯域内周波数の信号を使用した監視信号方式において、終話時に終話を予め知らせることによって異常音を発生させない通信の終話方式を提供することを目的とする。
【００１４】
【課題を解決するための手段】
上記課題を解決するため請求項１に記載の本発明は、図１に示すように、複数台の電話機１、４を接続した交換装置２、３が通信回線で接続され、監視信号として帯域内周波信号を用いる交換装置の通信の終話方式において、相互の交換装置２、３にそれぞれ終話を予め知らせる予知信号を発生する予知信号発生器２−１０、３−１０及び予知信号を検出する予知信号検出器２−１１、３−１１を設け、終話時、一方の側の交換装置２又は３に接続された電話機１又は４が終話動作すると、予知信号発生器２−１０又は３−１０より予知信号を一定時間送出した後、監視信号に切替えて信号送出し、他方の側の交換装置２又は３では予知信号を予知信号検出器２−１１又は３−１１で検出すると受話パスを切離し、続いて、監視信号を一定時間検出すると終話とみなし通信を終了することを特徴とする。
【００１５】
また、請求項２に記載の発明は、図３に示すように、交換装置２、３の受話回路に予知信号をカットするフィルタ２−１２、３−１２を挿入したことを特徴とする。
【００１６】
【作用】
請求項１に記載の発明は、上記構成を採用することにより、先に終話動作をした一方の側の交換装置は一定時間予知信号を送出した後、監視信号に切替え信号を送出する。予知信号は話中音（ＢＴ）等の明らかに終話と分かる可聴音、又は、音声メッセ−ジ、効果音等を使用する。他方の側の交換装置では予知信号が一定時間連続すると受話パスを切離し、続いて監視信号を検出すると終話とみなし回線を開放するので、終話時、話者は従来のように監視信号を異常音として聞くことはなくなる。
【００１７】
また、請求項２に記載の発明は、予知信号として帯域内周波数の上限近傍の周波数信号を使用すれば、双方の受話回路に前記予知信号をカットするフィルタ２−１２、３−１２を挿入するので、終話時、話者は従来のように監視信号を異常音として聞くこともなく、予知信号を聞くこともなく、また、前記フィルタ２−１２、３−１２は上限近傍の周波数をカットするだけなので、周波数特性が狭くなることによる音質の犠牲も殆どなく自然な通話を行なうことが出来る。
【００１８】
【実施例】
以下本発明の一実施例を図面に基づいて詳細に説明する。
〔実施例１〕
図１は本発明の終話方式を実施するシステムの構成例を示す図である。図示するように、交換装置２に複数台の電話機１が接続され、交換装置３には複数台の電話機４が接続され、交換装置２と交換装置３は専用回線５−１及び５−２で接続される点は従来例と同一である。
【００１９】
また、交換装置２は制御器２−１、切替器２−２、監視信号発生器２−３、切替器２−４、切替器２−５、切替器２−６、監視信号検出器２−７、整合用トランス２−８、整合用トランス２−９を具備し、交換装置３は制御器３−１、切替器３−２、監視信号発生器３−３、切替器３−４、切替器３−５、切替器３−６、監視信号検出器３−７、整合用トランス３−８、整合用トランス３−９を具備する点も従来例と同じである。本実施例では交換装置２、３に終話を予め知らせる予知信号発生器２−１０、３−１０及び予知信号検出器２−１１、３−１１を設けたものである。なお、図１において、図４と同じ符号を付した部分は同一又は相当部分を示し、発呼時及び通話時の動作は従来例と同じなのでここでの説明は省略する。
【００２０】
図２は図１に示す構成のシステムの各部の制御・信号を示す図である。終話時、電話機１で終話動作（オンフック）すると、制御器２−１は切替器２−４を作動させ予知信号発生器２−１０から予知信号ｅを整合用トランス２−８を介して一定時間送出した後、監視信号ｂに切替える。相手側の交換装置３では予知信号ｅを予知信号検出器３−１１で検出すると切替器３−６で受話パスをカットし、続いて監視信号ｂを一定時間検出すると終話とみなし電話機４を開放する。
【００２１】
誤切断を防止するために予知信号ｅを検出後、監視信号ｂが検出されずに予知信号ｅも検出されなくなった場合は受話パスを復旧させる。予知信号ｅは話中音（ＢＴ）等の明らかに終話と分かる可聴音であればよく、又、音声メッセ−ジ、効果音等を用いてもよい。なお、電話機４が先に終話動作された場合も同様である。
【００２２】
以上説明したように、上記実施例１では終話時に相手が先に終話動作をした場合でも監視信号を聞くことなく異常音と勘違いをすることもなく、又、通話中に周波数帯域除去が行なわれないので周波数特性もよく自然な音声で通話が行なわれる。
【００２３】
〔実施例２〕
図３は本発明の終話方式を実施するシステムの他の構成例を示す図である。図示するように、本システムは図１の受信回路に予知信号ｅを除去するフィルタ２−１２及びフィルタ３−１２を挿入している。
【００２４】
上記予知信号ｅとして通信回線の伝送可能周波数帯域の限界周波数成分近傍の周波信号を用いる。例として３００〜３．４ｋＨｚの伝送周波数帯域を持つ伝送路を考える。予知信号を３．３ｋＨｚの信号とすればフィルタ２−１２はその周辺の周波成分を除去するので、通話音も帯域内の上限の３．３ｋＨｚの近辺はカットされるが通話音としては差し支えなく、殆ど遜色ない自然な通話を行なうことが出来る。動作は図１に示す構成のシステムと同じなので説明は省略する。
【００２５】
以上説明したように、実施例２では終話時に相手が先に終話動作をした場合でも監視信号を聞くことなく異常音と勘違いをすることもなく、又、予知信号ｅも聞くこともなく自然な音声で通話が行なわれ、通常の電話機と同様に終話される。
【００２６】
尚、上記説明では専用回線で説明したが、同じ監視方式であれば一般回線でも使用できることは無論である。
【００２７】
【発明の効果】
請求項１に記載の発明によれば、先に終話動作をした側の交換装置は一定時間予知信号を送出した後、監視信号に切替え信号を送出し、予知信号は話中音（ＢＴ）等の明らかに終話と分かる可聴音、又は、音声メッセ−ジ、効果音等を使用し、相手側の交換装置では予知信号が一定時間連続すると受話回路を切離し、続いて監視信号を受信すると終話とみなし通信を終了するので、終話時、話者は従来のように監視信号を異常音として聞くことはなくなるという優れた効果が得られる。
【００２８】
また、請求項２に記載の発明によれば、予知信号として帯域内周波数の上限近傍の周波数信号を使用すれば、双方の受話回路に予知信号をカットするフィルタを挿入するので、終話時、話者は従来のように監視信号を異常音として聞くこともなく、予知信号を聞くこともなく、また、前記フィルタは上限近傍の周波数をカットするだけなので、周波数特性が狭くなることによる音質の犠牲も殆どなく自然な通話を行なうことが出来るという優れた効果が得られる。
【図面の簡単な説明】
【図１】本発明の終話方式を実施するシステムの構成例を示す図である。
【図２】図１に示すシステムの各部の制御・信号を示す図である。
【図３】本発明の終話方式を実施するシステムの他の構成例を示す図である。
【図４】帯域内周波数信号を使用した監視信号方式の基本構成例を示す図である。
【図５】図４における各部の制御・信号を示す図である。
【図６】従来の終話方式を実施するシステムの構成例を示す図である。
【図７】従来の終話方式を実施するシステムの構成例を示す図である。
【符号の説明】
１          電話機
２          交換装置
２−１      制御器
２−２      切替器
２−３      監視信号発生器
２−４      切替器
２−５      切替器
２−６      切替器
２−７      監視信号検出器
２−８      整合用トランス
２−９      整合用トランス
２−１０    予知信号発生器
２−１１    予知信号検出器
２−１２    フィルタ
２−２０    フィルタ
２−２１    監視信号外信号検出器
３          交換装置
３−１      制御器
３−２      切替器
３−３      監視信号発生器
３−４      切替器
３−５      切替器
３−６      切替器
３−７      監視信号検出器
３−８      整合用トランス
３−９      整合用トランス
３−１０    予知信号発生器
３−１１    予知信号検出器
３−１２    フィルタ
３−２０    フィルタ
３−２１    監視信号外信号検出器
４          電話機
５−１      専用回線
５−２      専用回線
【図１】
0003694066.tif 000002
【図２】
0003694066.tif 000003
【図３】
0003694066.tif 000004
【図４】
0003694066.tif 000005
【図５】
0003694066.tif 000006
【図６】
0003694066.tif 000007
【図７】
0003694066.tif 000008